【手続補正書】
【提出日】平成16年7月26日(2004.7.26)
【手続補正１】
【補正対象書類名】特許請求の範囲
【補正対象項目名】全文
【補正方法】変更
【補正の内容】
【特許請求の範囲】
【請求項１】
電子メディア装置の使用パターンを記録するステップと、
スケジューリング・サーバに前記使用パターンを伝達するステップと、
前記使用パターンに基づいて前記スケジューリング・サーバによって計算されたメディア・コンテンツの放送のためのスケジュールを受信するステップと、
前記スケジュールに含まれる期間中に前記メディア・コンテンツを受信するステップと
を備え、
前記使用パターンが、前記電子メディア装置とユーザとの間の対話処理のパターンを備える
方法。
【請求項２】
前記電子メディア装置による使用に備えて前記メディア・コンテンツを格納するステップを更に備える、請求項１に記載の方法。
【請求項３】
前記記録するステップが、
使用日、
使用時間
使用経過時間
から構成される群の少なくとも１つを記録するステップを備える、請求項１に記載の方法。
【請求項４】
前記使用パターンが、前記電子メディア装置とユーザとの間のインタラクションのパターンを含む、請求項１に記載の方法。
【請求項５】
前記インタラクションのパターンが、
前記電子メディア装置のスイッチをＯＮ／ＯＦＦすること、
前記電子メディア装置のチャネルまたは周波数を調節すること、
前記電子メディア装置のボリュームを調節すること、
前記電子メディア装置にデータを記録すること
から構成される群の少なくとも１つを備える、請求項４に記載の方法。
【請求項６】
前記電子メディア装置と前記ユーザとの間のインタラクションが、前記インタラクションとその直前のインタラクションとの間の期間が所定の期間を超過する場合、前記スケジューリング・サーバに伝達されない、請求項４に記載の方法。
【請求項７】
前記電子メディア装置が、
テレビジョン（テレビ）、
オーディオ受信機、
デジタル処理システム
から構成される群から選択される、請求項１に記載の方法。
【請求項８】
前記使用パターンが前記スケジューリング・サーバに伝達された後、既に記録された前記使用パターンを除去するステップを更に備える、請求項１に記載の方法。
【請求項９】
電子メディア装置の使用パターンを受信するステップと、
前記使用パターンに基づいてメディア・コンテンツを放送するためのスケジュールを計算するステップと
を備え、
前記使用パターンが、前記電子メディア装置とユーザとの間の対話処理のパターンを備える、
方法。
【請求項１０】
前記メディア・コンテンツを放送するステップを更に備える、請求項９に記載の方法。
【請求項１１】
前記スケジュールが、受信装置が前記メディ  ア・コンテンツを受信可能な前記電子メディア装置に通信可能なように接続される可能性が所定の量存在する期間を含む、請求項９に記載の方法。
【請求項１２】
前記電子メディア装置が、
テレビジョン（テレビ）、
オーディオ受信機、
デジタル処理システム
から構成される群から選択される、請求項９に記載の方法。
【請求項１３】
前記使用パターンを格納するステップを更に備える、請求項９に記載の方法。
【請求項１４】
電子メディア装置の使用パターンを記録するステップと、
前記使用パターンに基づいてメディア・コンテンツを放送するためのスケジュールを計算するステップと、
前記スケジュールに含まれる期間中にメディア・コンテンツを受信するステップと
を備え、
前記使用パターンが、前記電子メディア装置とユーザとの間の対話処理のパターンを備える
方法。
【請求項１５】
前記メディア・コンテンツを放送するステップを更に備える、請求項１４に記載の方法。
【請求項１６】
前記使用パターンを格納するステップを更に備える、請求項１４に記載の方法。
【請求項１７】
前記電子メディア装置による使用に備えて前記メディア・コンテンツを格納するステップを更に備える、請求項１４に記載の方法。
【請求項１８】
電子メディア装置に通信可能なように接続され、ユーザによる前記電子メディア装置の使用パターンを記録し、かつスケジューリング・サーバに前記使用パターンを伝達する、クライアント装置を備え、
前記使用パターンが、前記電子メディア装置とユーザとの間の対話処理のパターンを備え、
前記クライアント装置から前記使用パターンを受信するために、かつ前記使用パターンに基づいてメディア・コンテンツを放送するためのスケジュールを計算するために、前記スケジューリング・サーバが前記クライアント装置に通信可能なように接続される、
装置。
【請求項１９】
前記クライアント装置へ前記メディア・コンテンツを放送するために、前記スケジューリング・サーバに通信可能なように接続されたメディア放送装置を更に備える、請求項１８に記載の装置。
【請求項２０】
前記メディア放送装置が前記スケジューリング・サーバの構成要素である、請求項１９に記載の装置。
【請求項２１】
前記電子メディア装置による使用に備えて放送されたメディア・コンテンツを格納するために、前記クライアント装置に通信可能なように接続されるメディア記憶装置を更に備える、請求項１８に記載の装置。
【請求項２２】
前記メディア記憶装置が前記クライアント装置の構成要素である、請求項２１に記載の装置。
【請求項２３】
前記電子メディア装置が、
テレビジョン（テレビ）、
オーディオ受信機、
デジタル処理システム
から構成される群から選択される、請求項１８に記載の装置。
【請求項２４】
前記クライアント装置と前記スケジューリング・サーバとの間の通信用バックチャンネルを更に備える、請求項１８に記載の装置。
【請求項２５】
前記バックチャンネルが、
アナログモデム、
デジタルモデム、
ＤＯＣＳＩＳケーブル・モデム
から構成される群の少なくとも１つによって実施される、請求項２４に記載の装置。
【請求項２６】
前記スケジュールが、前記クライアント装置が前記メディア・コンテンツを受信可能である可能性が所定の量存在する期間を含む、請求項１８に記載の装置。
【請求項２７】
前記クライアント装置が、セットトップ・ボックスである、請求項１８に記載の装置。
【請求項２８】
機械によって実行された場合に、
電子メディア装置の使用パターンを記録するステップと、
スケジューリング・サーバに前記使用パターンを伝達するステップと、
前記使用パターンに基づいて前記スケジューリング・サーバが計算した放送メディア・コンテンツのスケジュールを受信するステップと、
前記スケジュールに含まれる期間中に前記メディア・コンテンツを受信するステップと
を備える方法を前記機械に実行させるための複数の命令を格納し、
前記使用パターンが、前記電子メディア装置とユーザとの間の対話処理のパターンを備える、
機械可読メディア。
【請求項２９】
前記方法が、前記電子メディア装置による使用に備えて前記メディア・コンテンツを格納するステップを更に備える、請求項２８に記載の機械可読メディア。
【請求項３０】
前記方法が、前記使用パターンが前記スケジューリング・サーバに伝達された後に既に記録された前記使用パターンを除去するステップを更に備える、請求項２８に記載の機械可読メディア。
【請求項３１】
機械によって実行された場合に、
スケジューリング・サーバにおいて電子メディア装置の使用パターンを受信するステップと、
前記使用パターンに基づいてメディア・コンテンツを放送するための最適のスケジュールを前記スケジューリング・サーバにおいて計算するステップと
を備える方法を前記機械に実行させるための複数の命令を格納し、
前記使用パターンが、前記電子メディア装置とユーザとの間の対話処理のパターンを備える、
機械可読メディア。
【請求項３２】
前記方法が、前記メディア・コンテンツを放送するステップを更に備える、請求項３１に記載の機械可読メディア。
【請求項３３】
前記方法が、前記使用パターンを格納するステップを更に備える、請求項３１に記載の機械可読メディア。
【請求項３４】
演算処理装置と、
バスによって前記演算処理装置に接続されたメモリと、
前記演算処理装置によって前記メモリから実行されるプロセスと
を備え、
前記プロセスは、
電子メディア装置の使用パターンを記録し、
前記スケジューリング・サーバに前記使用パターンを伝達し、
前記使用パターンに基づいて、前記スケジューリング・サーバによって計算されたメディア・コンテンツ放送スケジュールを受信し、
前記スケジュールに含まれる期間中に前記メディア・コンテンツを受信する
ために実行され、
前記使用パターンが、前記電子メディア装置とユーザとの間の対話処理のパターンを備える、
システム。
【請求項３５】
前記電子メディア装置が、
テレビジョン（テレビ）、
オーディオ受信機、
デジタル処理システム
から構成される群から選択される、請求項３４に記載のシステム。
【請求項３６】
バックチャネルを経由した前記電子メディア装置と前記スケジューリング・サーバとの間の通信を簡便化するバックチャンネル・インターフェイスを更に備える、請求項３４に記載のシステム。
【請求項３７】
前記電子メディア装置がリアルタイムの放送メディア・コンテンツを視聴するために使用されていない可能性が所定の量を超過するように、前記期間がスケジューリング・サーバによって計算される、請求項１に記載の方法。
【請求項３８】
前記スケジュールが、前記電子メディア装置がリアルタイムの放送メディア・コンテンツを視聴するために使用されていない可能性が所定の量を超過するように計算された期間を備える、請求項９に記載の方法。
【請求項３９】
前記期間が、前記電子メディア装置がリアルタイム放送メディア・コンテンツを視聴するために使用されていない可能性が所定の量を超過するように計算される、請求項１４に記載の方法。
【請求項４０】
前記電子メディア装置がリアルタイムの放送メディア・コンテンツを視聴するために使用されていない可能性が所定の量を超過するように、前記期間が前記スケジューリング・サーバによって計算される、請求項１８に記載の装置。
【請求項４１】
前記電子メディア装置がリアルタイムの放送メディア・コンテンツを視聴するために使用されていない可能性が所定の量を超過するように、前記期間が前記スケジューリング・サーバによって計算される、請求項２８に記載の機械可読メディア。
【請求項４２】
前記スケジュールが、電子メディア装置がリアルタイムの放送メディア・コンテンツを視聴するために使用されていない可能性が所定の量を超過するように計算された期間を備える、請求項３１に記載の機械可読メディア。
【請求項４３】
前記電子メディア装置がリアルタイムの放送メディア・コンテンツを視聴するために使用されていない可能性が所定の量を超過するように、前記期間が前記スケジューリング・サーバによって計算される、請求項３４に記載のシステム。
【請求項４４】
電子メディア装置の使用パターンを受信するステップと、
前記使用パターンに基づいて、前記電子メディア装置が非アクティブである期間を予想するステップと、
前記非アクティブである期間の予想に基づいて、コンテンツベースのメディアを放送するためのスケジュールを計算するステップと
を備え、
前記使用パターンが、前記電子メディア装置とユーザとの間の対話処理のパターンを備える、
方法。
【手続補正２】
【補正対象書類名】明細書
【補正対象項目名】０００３
【補正方法】変更
【補正の内容】
【０００３】
更に、最先端の双方向テレビ・サービスによって、テレビを視聴している間にインターネット・コンテンツおよびサービスを受信する事が視聴者にとって可能となる。このサービスは２つのテレビ番組を同時に記録するための２つのチューナー備える装置を提供しても良い。
【特許文献１】国際公開第００／１６５５２号パンフレット
【特許文献２】国際公開第０１／５０４３８号パンフレット
【手続補正３】
【補正対象書類名】明細書
【補正対象項目名】００３０
【補正方法】変更
【補正の内容】
【００３０】
図１は、本発明の一実施形態におけるシステムレベルの概要１００を示すブロック図である。電子メディア装置１１０は、クライアント装置１２０に通信可能なように接続される。電子メディア装置１１０は、テレビ、オーディオ受信機あるいはデジタル処理システムであって良いが、本発明はこれらに限定されない。クライアント装置１２０はセットトップ・ボックス、あるいは他の電子デバイスであって良い。セットトップ・ボックスは、テレビジョンセットの近傍に設置されるボックスであり、家庭用テレビと、例えばケーブルＭＳＯ（多元ケーブルテレビ運営会社）のようなメディア・サービス・プロバイダとの間のインターフェイスである。クライアント装置１２０は、ユーザによる電子メディア装置１１０の使用パターンを記録し、スケジューリング・サーバ１３０に使用パターンを伝達する。クライアント装置１２０から使用パターンを受信するためにクライアント装置１２０に通信可能なように接続されたスケジューリング・サーバ１３０は、使用パターンに基づいてクライアント装置１２０へのメディア・コンテンツを放送するための最適なスケジュールを計算する。
【手続補正４】
【補正対象書類名】明細書
【補正対象項目名】００３３
【補正方法】変更
【補正の内容】
【００３３】
図２は、本発明の他の実施形態におけるシステムレベルの概要２００を示すブロック図である。スケジューリング・サーバ１３０は、クライアント装置１２０へのメディア・コンテンツを放送するメディア放送装置２１０に通信可能なように接続される。他の実施形態において、メディア放送装置２１０はスケジューリング・サーバ１３０の構成要素である。
【手続補正５】
【補正対象書類名】明細書
【補正対象項目名】００３５
【補正方法】変更
【補正の内容】
【００３５】
図３は、クライアント側から見た場合の、図１に示される本発明の実施形態によって実行される方法のフローチャート３００である。ブロック３１０において、電子メディア装置の使用パターンが記録される。一実施形態において、使用パターンは、使用日、使用時間および使用経過時間を含むが、本発明はこれらに限定されない。使用パターンは、使用時間におけるチャネル選択、使用時間におけるボリューム調節、および使用時間中における番組の記録の有無、のような情報を更に含んでいても良い。ブロック３２０において、使用パターンがスケジューリング・サーバに伝達される。ブロック３３０において、メディア・コンテンツが、スケジューリング・サーバが使用パターンに基づいて選択した期間中に受信される。
【手続補正６】
【補正対象書類名】明細書
【補正対象項目名】００３７
【補正方法】変更
【補正の内容】
【００３７】
図４は、サーバ側から見た場合の、図１に示される本発明の実施形態によって実行される方法のフローチャート４００である。ブロック４１０において、電子メディア装置の使用パターンがスケジューリング・サーバで受信される。ブロック４２０において、スケジューリング・サーバは、使用パターンに基づいてメディア・コンテンツを放送するための最適のスケジュールを計算する。一実施形態において、最適のスケジュールは、電子メディア装置に接続された受信装置がメディア・コンテンツを受信可能な可能性が所定の量存在する期間を含む。他の実施形態において、受信機リソースがユーザによるリアルタイムまたは他の使用によって利用されていない時に、電子メディア装置がメディア・コンテンツを受信する事が出来る。
【手続補正７】
【補正対象書類名】明細書
【補正対象項目名】００３８
【補正方法】変更
【補正の内容】
【００３８】
図５は、クライアント側から見た場合の、図２に示される本発明の実施形態によって実行される方法のフローチャート５００である。ブロック５１０において、電子メディア装置の使用パターンが記録される。ブロック５２０において、使用パターンがスケジューリング・サーバに伝達される。ブロック５３０において、メディア・コンテンツが、スケジューリング・サーバが使用パターンに基づいて選択した期間中に受信される。ブロック５４０において、メディア・コンテンツが、電子メディア装置による使用に備えて格納される。一実施形態において、メディア・コンテンツがキャッシュメモリに一時的に格納されて良い。ブロック５５０において、使用パターンがスケジューリング・サーバに伝達された後、使用パターンは除去される。本発明の拡張された操作のために、ブロック５１０、５２０、５３０、５４０および（または）５５０のうちの任意のブロックが繰り返され得る、と言う事が認識されるであろう。ブロックの繰り返しによって使用パターンの精度が高められても良い。
【手続補正８】
【補正対象書類名】明細書
【補正対象項目名】００３９
【補正方法】変更
【補正の内容】
【００３９】
図６は、サーバ側から見た場合の、図２に示される本発明の実施形態によって実行される方法のフローチャート６００である。ブロック６１０において、電子メディア装置の使用パターンがスケジューリング・サーバで受信される。ブロック６２０において、メディア・コンテンツを放送するための最適のスケジュールが、使用パターンに基づいてスケジューリング・サーバによって計算される。ブロック６３０において、メディア・コンテンツが放送される。ブロック６４０において、使用パターンがスケジューリング・サーバに格納される。